【手続補正書】
【提出日】平成16年11月17日(2004.11.17)
【手続補正１】
【補正対象書類名】明細書
【補正対象項目名】発明の名称
【補正方法】変更
【補正の内容】
【発明の名称】半導体装置、電子機器
【手続補正２】
【補正対象書類名】明細書
【補正対象項目名】特許請求の範囲
【補正方法】変更
【補正の内容】
【特許請求の範囲】
【請求項１】
複数の画素を含む画素部、出力切り替え回路及び信号線駆動回路を有し、
前記複数の画素の各々は、発光素子を含む発光素子部と、光電変換素子を含むセンサ部を有し、
前記出力切り替え回路は、第１の回路、第２の回路、及び前記第１の回路と前記第２の回路に第１の信号又は第２の信号を出力するための配線を有し、
前記信号線駆動回路は、前記第１の回路と前記第２の回路に第３の信号を出力し、
前記第１の信号と前記第３の信号が出力されると、前記第１の回路は前記発光素子部に第４の信号を出力し、前記第２の回路は前記センサ部に第５の信号を出力し、前記画素部は画像を表示し、
前記第２の信号と前記第３の信号が出力されると、前記第１の回路は前記発光素子部に第６の信号を出力し、前記第２の回路は前記センサ部に第７の信号を出力し、前記画素部は被写体の画像情報を読み取ることを特徴とする半導体装置。
【請求項２】
複数の画素を含む画素部、出力切り替え回路及び信号線駆動回路を有し、
前記複数の画素の各々は、発光素子、第１のトランジスタ及び駆動用トランジスタを含む発光素子部と、光電変換素子と第２のトランジスタを含むセンサ部を有し、
前記出力切り替え回路は、第１の回路、第２の回路、及び前記第１の回路と前記第２の回路に第１の信号又は第２の信号を出力するための配線を有し、
前記信号線駆動回路は、前記第１の回路と前記第２の回路に第３の信号を出力し、
前記第１の信号と前記第３の信号が出力されると、前記第１の回路は前記第１のトランジスタに第４の信号を出力し、前記第２の回路は前記第２のトランジスタに第５の信号を出力し、前記第１のトランジスタを介して前記駆動用トランジスタにビデオ信号が供給され、当該ビデオ信号に基づき前記発光素子は発光し、
前記第２の信号と前記第３の信号が出力されると、前記第１の回路は前記第１のトランジスタに第６の信号を出力し、前記第２の回路は前記第２のトランジスタに第７の信号を出力し、前記第１のトランジスタを介して前記駆動用トランジスタにビデオ信号が供給され、当該ビデオ信号に基づき前記発光素子は被写体に光を照射し、前記光電変換素子は前記被写体において反射した光を受け取って前記被写体の画像情報を示す信号を生成することを特徴とする半導体装置。
【請求項３】
複数の画素を含む画素部、出力切り替え回路及び信号線駆動回路を有し、
前記複数の画素の各々は、液晶素子を含む液晶素子部と、光電変換素子を含むセンサ部を有し、
前記出力切り替え回路は、第１の回路、第２の回路、及び前記第１の回路と前記第２の回路に第１の信号又は第２の信号を出力するための配線を有し、
前記信号線駆動回路は、前記第１の回路と前記第２の回路に第３の信号を出力し、
前記第１の信号と前記第３の信号が出力されると、前記第１の回路は前記液晶素子部に第４の信号を出力し、前記第２の回路は前記センサ部に第５の信号を出力し、前記画素部は画像を表示し、
前記第２の信号と前記第３の信号が出力されると、前記第１の回路は前記液晶素子部に第６の信号を出力し、前記第２の回路は前記センサ部に第７の信号を出力し、前記画素部は被写体の画像情報を読み取ることを特徴とする半導体装置。
【請求項４】
複数の画素を含む画素部、出力切り替え回路、信号線駆動回路及び光源を有し、
前記複数の画素の各々は、液晶素子と第１のトランジスタを含む液晶素子部と、光電変換素子と第２のトランジスタを含むセンサ部を有し、
前記出力切り替え回路は、第１の回路、第２の回路、及び前記第１の回路と前記第２の回路に第１の信号又は第２の信号を出力するための配線を有し、
前記信号線駆動回路は、前記第１の回路と前記第２の回路に第３の信号を出力し、
前記第１の信号と前記第３の信号が出力されると、前記第１の回路は前記第１のトランジスタに第４の信号を出力し、前記第２の回路は前記第２のトランジスタに第５の信号を出力し、前記第１のトランジスタを介して前記液晶素子にビデオ信号が供給され、前記画素部は当該ビデオ信号に基づいた画像を表示し、
前記第２の信号と前記第３の信号が出力されると、前記第１の回路は前記第１のトランジスタに第６の信号を出力し、前記第２の回路は前記第２のトランジスタに第７の信号を出力し、前記第１のトランジスタを介して前記液晶素子にビデオ信号が供給され、前記液晶素子を介して前記光源は被写体に光を照射し、前記光電変換素子は前記被写体において反射した光を受け取って前記被写体の画像情報を示す信号を生成することを特徴とする半導体装置。
【請求項５】
複数の画素を含む画素部、第１の出力切り替え回路、第２の出力切り替え回路、第１の信号線駆動回路及び第２の信号線駆動回路を有し、
前記複数の画素の各々は、発光素子を含む発光素子部と、光電変換素子を含むセンサ部を有し、
前記第１の出力切り替え回路は、第１の回路、第２の回路、及び前記第１の回路と前記第２の回路に第１の信号又は第２の信号を出力するための配線を有し、
前記第２の出力切り替え回路は、第３の回路、第４の回路、及び前記第３の回路と前記第４の回路に前記第１の信号又は前記第２の信号を出力するための前記配線を有し、
前記第１の信号線駆動回路は、前記第１の回路と前記第２の回路に第３の信号を出力し、
前記第２の信号線駆動回路は、前記第３の回路と前記第４の回路に第４の信号を出力し、
前記第１の信号と前記第３の信号と前記第４の信号が出力されると、前記第１の回路は前記発光素子部に第５の信号を出力し、前記第２の回路は前記センサ部に第６の信号を出力し、前記第３の回路は前記発光素子部に第７の信号を出力し、前記第４の回路は前記センサ部に第８の信号を出力し、前記画素部は画像を表示し、
前記第２の信号と前記第３の信号と前記第４の信号が出力されると、前記第１の回路は前記発光素子部に第９の信号を出力し、前記第２の回路は前記センサ部に第１０の信号を出力し、前記第３の回路は前記発光素子部に第１１の信号を出力し、前記第４の回路は前記センサ部に第１２の信号を出力し、前記画素部は被写体の画像情報を読み取ることを特徴とする半導体装置。
【請求項６】
複数の画素を含む画素部、第１の出力切り替え回路、第２の出力切り替え回路、第１の信号線駆動回路及び第２の信号線駆動回路を有し、
前記複数の画素の各々は、発光素子部とセンサ部を有し、
前記発光素子部は、発光素子、第１のトランジスタ、第２のトランジスタ及び駆動用トランジスタを有し、
前記センサ部は、光電変換素子、第３のトランジスタ及び第４のトランジスタを有し、
前記第１の出力切り替え回路は、第１の回路、第２の回路、及び前記第１の回路と前記第２の回路に第１の信号又は第２の信号を出力するための配線を有し、
前記第２の出力切り替え回路は、第３の回路、第４の回路、及び前記第３の回路と前記第４の回路に前記第１の信号又は前記第２の信号を出力するための前記配線を有し、
前記第１の信号線駆動回路は、前記第１の回路と前記第２の回路に第３の信号を出力し、
前記第２の信号線駆動回路は、前記第３の回路と前記第４の回路に第４の信号を出力し、
前記第１の信号と前記第３の信号と前記第４の信号が出力されると、前記第１の回路は前記第１のトランジスタに第５の信号を出力し、前記第２の回路は前記第３のトランジスタに第６の信号を出力し、前記第３の回路は前記第２のトランジスタに第７の信号を出力し、前記第４の回路は前記第４のトランジスタに第８の信号を出力し、前記第１のトランジスタ又は前記第２のトランジスタを介して前記駆動用トランジスタにビデオ信号が供給され、当該ビデオ信号に基づき前記発光素子が発光し、
前記第１の信号と前記第３の信号と前記第４の信号が出力されると、前記第１の回路は前記第１のトランジスタに第９の信号を出力し、前記第２の回路は前記第３のトランジスタに第１０の信号を出力し、前記第３の回路は前記第２のトランジスタに第１１の信号を出力し、前記第４の回路は前記第４のトランジスタに第１２の信号を出力し、前記第１のトランジスタを介して前記駆動用トランジスタにビデオ信号が供給され、当該ビデオ信号に基づき前記発光素子は被写体に光を照射し、前記光電変換素子は前記被写体において反射した光を受け取って前記被写体の画像情報を示す信号を生成することを特徴とする半導体装置。
【請求項７】
請求項２において、
前記第１のトランジスタは、前記発光素子部に対するビデオ信号の入力を制御する第１の選択用トランジスタであり、
前記第２のトランジスタは、前記光電変換素子が生成した信号の出力を制御する第２の選択用トランジスタ、又は前記光電変換素子の２つの端子の電位差を制御するリセット用トランジスタであることを特徴とする半導体装置。
【請求項８】
請求項２において、
前記第１のトランジスタは、前記発光素子とソース信号線駆動回路の間に設けられた第１の選択用トランジスタであり、
前記第２のトランジスタは、前記光電変換素子とセンサ用ソース信号線駆動回路の間に設けられた第２の選択用トランジスタ、又は前記光電変換素子と電源線の間に設けられたリセット用トランジスタであることを特徴とする半導体装置。
【請求項９】
請求項４において、
前記第１のトランジスタは、前記液晶素子部に対するビデオ信号の入力を制御する第１の選択用トランジスタであり、
前記第２のトランジスタは、前記光電変換素子が生成した信号の出力を制御する第２の選択用トランジスタ、又は前記光電変換素子の２つの端子の電位差を制御するリセット用トランジスタであることを特徴とする半導体装置。
【請求項１０】
請求項４において、
前記第１のトランジスタは、前記液晶素子とソース信号線駆動回路の間に設けられた第１の選択用トランジスタであり、
前記第２のトランジスタは、前記光電変換素子とセンサ用ソース信号線駆動回路の間に設けられた第２の選択用トランジスタ、又は前記光電変換素子と電源線の間に設けられたリセット用トランジスタであることを特徴とする半導体装置。
【請求項１１】
請求項６において、
前記第１のトランジスタと前記第２のトランジスタは、一方は前記発光素子部に対するビデオ信号の入力を制御する第１の選択用トランジスタであり、他方は前記発光素子部に入力された前記ビデオ信号の消去を制御する第１のリセット用トランジスタであり、
前記第３のトランジスタと前記第４のトランジスタは、一方は前記光電変換素子が読み取った信号の出力を制御する第２の選択用トランジスタであり、他方は前記光電変換素子の２つの端子の電位差を制御する第２のリセット用トランジスタであることを特徴とする半導体装置。
【請求項１２】
請求項６において、
前記第１のトランジスタと前記第２のトランジスタは、一方は前記発光素子とソース信号線駆動回路の間に設けられた第１の選択用トランジスタであり、他方は前記駆動用トランジスタのソース電極及びドレイン電極の一方と、前記駆動用トランジスタのゲート電極の間に設けられた第１のリセット用トランジスタであり、
前記第３のトランジスタと前記第４のトランジスタは、一方は前記光電変換素子とセンサ用ソース信号線駆動回路の間に設けられた第２の選択用トランジスタであり、他方は前記光電変換素子と電源線の間に設けられた第２のリセット用トランジスタであることを特徴とする半導体装置。
【請求項１３】
請求項１乃至請求項４、請求項７乃至請求項１０のいずれか一項において、
前記信号線駆動回路は、シフトレジスタであることを特徴とする半導体装置。
【請求項１４】
請求項１乃至請求項４、請求項７乃至請求項１０のいずれか一項において、
前記第１の回路と前記第２の回路の各々は、ＮＡＮＤ回路、ＮＯＲ回路、ＡＮＤ回路、ＯＲ回路及びインバータ回路から選択された１つ又は複数を有することを特徴とする半導体装置。
【請求項１５】
請求項５、請求項６、請求項１１又は請求項１２のいずれか一項において、
前記第１の信号線駆動回路と前記第２の信号線駆動回路は、シフトレジスタであることを特徴とする半導体装置。
【請求項１６】
請求項５、請求項６、請求項１１又は請求項１２のいずれか一項において、
前記第１の回路、前記第２の回路、前記第３の回路及び前記第４の回路の各々は、ＮＡＮＤ回路、ＮＯＲ回路、ＡＮＤ回路、ＯＲ回路及びインバータ回路から選択された１つ又は複数を有することを特徴とする半導体装置。
【請求項１７】
請求項１乃至請求項１６のいずれか一項に記載の前記半導体装置が用いられた電子機器。
【手続補正３】
【補正対象書類名】明細書
【補正対象項目名】００７７
【補正方法】変更
【補正の内容】
【００７７】
またＮＯＲ回路１２０の２つの入力端子は、一方はモード制御配線１１３に接続され、他方はインバータ回路１１６の出力端子に接続されている。ＮＯＲ回路１２０の出力端子は、インバータ回路１２１の入力端子が接続されている。ＮＯＲ回路１２０は、インバータ回路１１６から入力されたタイミング信号と、モード制御配線１１３から入力された信号の否定論理和をとって、インバータ回路１２１に信号を出力する。インバータ回路１２１の出力端子は、インバータ回路１２２の入力端子に接続されている。インバータ回路１２１は、入力された信号を反転させて、インバータ回路１２２に信号を出力する。インバータ回路１２２の出力端子には、センサ選択信号線（ＳＧ）が接続されている。インバータ回路１２２は、入力された信号を反転させて、ｅ２に示す信号をセンサ選択信号線（ＳＧ）に出力する。
【手続補正４】
【補正対象書類名】明細書
【補正対象項目名】０１４３
【補正方法】変更
【補正の内容】
【０１４３】
液晶選択用ＴＦＴ２６２のゲート電極は液晶選択信号線（ＥＧｊ）に接続されている。そして液晶選択用ＴＦＴ２６２のソース領域とドレイン領域は、一方がソース信号線（Ｓi）に、もう一方が液晶素子２６４およびコンデンサ２６３に接続されている。液晶選択用ＴＦＴ２６２は、画素（ｉ、ｊ）に信号を書き込むときのスイッチング素子として機能するＴＦＴである。
【手続補正５】
【補正対象書類名】明細書
【補正対象項目名】０２１８
【補正方法】変更
【補正の内容】
【０２１８】
センサ用ソース信号線駆動回路１０６は、バイアス用回路１０６ａ、サンプルホールド＆信号処理用回路１０６ｂ、信号出力線用駆動回路１０６ｃ、最終出力増幅用回路１０６ｄを有する。
【手続補正６】
【補正対象書類名】明細書
【補正対象項目名】０２１９
【補正方法】変更
【補正の内容】
【０２１９】
バイアス用回路１０６ａは、各画素のセンサ駆動用ＴＦＴ２２３と対になって、ソースフォロワ回路を形成する。バイアス用回路１０６ａの下部には、サンプルホールド＆信号処理用回路１０６ｂが形成されている。サンプルホールド＆信号処理用回路１０６ｂは、信号を一時保存したり、アナログ・デジタル変換を行ったり、雑音を低減したりするための回路などが形成されている。
【手続補正７】
【補正対象書類名】明細書
【補正対象項目名】０２２０
【補正方法】変更
【補正の内容】
【０２２０】
サンプルホールド＆信号処理用回路１０６ｂの下部には、信号出力線用駆動回路１０６ｃが形成されている。信号出力線用駆動回路１０６ｃは、一時的に保存されていた信号を、画素部１００に順に出力していく機能を有する。そして、最終出力増幅用回路１０６ｄは、サンプルホールド＆信号処理用回路１０６ｂと信号出力線用駆動回路１０６ｃから出力された信号を、外部に出力するために増幅する。つまり、信号を増幅しない場合は不必要であるが、形成する場合が多い。
【手続補正８】
【補正対象書類名】明細書
【補正対象項目名】０３１０
【補正方法】変更
【補正の内容】
【０３１０】
また画素部１９０２で読み込んだ画像信号を、外部接続ポート１９０４から携帯型ハンドスキャナーの外部に接続されている電子機器に送り、ソフト上で画像を補正、合成、編集等を行うことも可能である。
【手続補正９】
【補正対象書類名】明細書
【補正対象項目名】図２１
【補正方法】変更
【補正の内容】
【図２１】
2002268615.tif 000001
【手続補正１０】
【補正対象書類名】明細書
【補正対象項目名】図２２
【補正方法】変更
【補正の内容】
【図２２】
2002268615.tif 000002
【手続補正１１】
【補正対象書類名】明細書
【補正対象項目名】図２３
【補正方法】変更
【補正の内容】
【図２３】
2002268615.tif 000003
【手続補正１２】
【補正対象書類名】明細書
【補正対象項目名】図２４
【補正方法】変更
【補正の内容】
【図２４】
2002268615.tif 000004